(57)【要約】【課題】前以て決められている色位置からできるだけ僅かしか偏差していないＬＥＤの装置、例えばＬＥＤモジュールを提供すること【解決手段】ＬＥＤはＣＩＥ色空間においてそれぞれ色座標値によって特徴付けられる色位置を有しており、その際すべての色位置は、前以て決められている色温度を有する２つの等色温度線および黒体軌跡と該黒体軌跡に配属されている１つの線によって形成されているか、または２つの等色温度線および黒体軌跡に配属されている２つの線によって形成されている１つの領域にあり、当該黒体軌跡に配属されている線は、それぞれ前以て決められている一定のしきい値偏差を有する、複数個のＬＥＤから成る装置。【選択図】図１
2008166826.tif 000002
【特許請求の範囲】
【請求項１】
ＬＥＤはＣＩＥ色空間においてそれぞれ色座標値によって特徴付けられる色位置を有しており、その際すべての色位置は、前以て決められている色温度を有する２つの等色温度線および黒体軌跡と該黒体軌跡に配属されている１つの線によって形成されているか、または２つの等色温度線および黒体軌跡に配属されている２つの線によって形成されている１つの領域にあり、
当該黒体軌跡に配属されている線は、それぞれ前以て決められている一定のしきい値偏差を有する、
複数個のＬＥＤから成る装置。
【請求項２】
・各ＬＥＤに対して、各色座標値を測定することによってＬＥＤの色位置が決定されており、
・当該色座標値を有しているＬＥＤの色位置が存在している１つの網目が突き止められており、
・前記複数個のＬＥＤは当該網目の色グループに割り当てられている
請求項１記載の装置。
【請求項３】
しきい値偏差の差は２０しきい値単位より小さいまたはそれに等しい
請求項１または２記載の装置。
【請求項４】
しきい値偏差の差は１０しきい値単位より小さいまたはそれに等しい
請求項１または２記載の装置。
【請求項５】
しきい値偏差の差は５しきい値単位より小さいまたはそれに等しい
請求項１または２記載の装置。
【請求項６】
色温度の差は２０００Ｋより小さいまたはそれに等しい
請求項１から５までのいずれか１項記載の装置。
【請求項７】
色温度の差は１５００Ｋより小さいまたはそれに等しい
請求項１から５までのいずれか１項記載の装置。
【請求項８】
色温度の差は１０００Ｋより小さいまたはそれに等しい
請求項１から５までのいずれか１項記載の装置。
【発明の詳細な説明】
【技術分野】
【０００１】
本発明は請求項１の上位概念に記載のＬＥＤモジュールに関する。
【背景技術】
【０００２】
複数の白色光ＬＥＤを備えたＬＥＤモジュールでは通例、製造時に色および明るさに関して同形式と分類されたＬＥＤが使用される。このことは、１つのモジュールにできるだけ同じＬＥＤを実装しかつこれによりできるだけ均質な色印象が実現されるようにする目的のために用いられる。
【０００３】
確かに普通はＬＥＤは製造の際比較的おおざっぱに分類されかつほんの僅かなグループにしか分けられない。この仕分けはその他に、製造パラメータに合わせられている。その際人間の目の色感覚は下位の役割しか演じていない。
【０００４】
それ故に結果としてこの形式のＬＥＤモジュールでは色の印象のはっきりと目につく変動が生じる可能性がある。この問題は殊に白色光ＬＥＤないし白色光モジュールにおいてより顕著になる。というのは、色空間における白点からの偏差が色合いとして特別目立ちやすいからである。
【発明の開示】
【発明が解決しようとする課題】
【０００５】
本発明の課題は、前以て決められている色位置からできるだけ僅かしか偏差していないＬＥＤの装置、例えばＬＥＤモジュールを提供することである。
【課題を解決するための手段】
【０００６】
この課題は請求項１に記載のＬＥＤ装置によって解決される。
【発明を実施するための最良の形態】
【０００７】
本発明の有利な発展形態は従属請求項の対象である。
【０００８】
混合、殊に白色光を放出するＬＥＤの色グループを確定する本発明の方法では、第１のステップにおいてＣＩＥ色空間に格子網が設けられる。この網は交差する網線の２つの群を有しており、ここで一方の群は等色温度線によって決められておりかつ他方の群は黒体軌跡並びに一定のしきい値偏差の所属の線によって決められているので、網は網線によって形成される多数の網目ないし網目領域を有している。その際それぞれの網目には色グループが割り当てられる。
【０００９】
次のステップにおいて、ＬＥＤの色座標値を測定することによってＬＥＤの色位置が決定される。
【００１０】
これに基づいてこの色座標値を有しているＬＥＤの色位置がある網目が確定される。
【００１１】
最終的に当該ＬＥＤはこの網目ないしその色グループに割り当てられる。
【００１２】
ＣＩＥ色空間における等色温度線は最も類似している色温度の直線として定義されている。これらは近似的に一定の色温度の線と見なすことができる。黒体軌跡はプランクの放射体の種々の温度に対するプランクの放射体の色位置によって決められている。色位置の、この線に対する距離はしきい値単位（ＳＷＥ＝Schwellwerteinheit）において定められる。本発明の枠内において同じしきい値の点から組み合わされて成る線が一定のしきい値偏差の線と表される。
【００１３】
本発明の方法は、プランクの放射体および等色温度線、すなわち最も類似している色温度の直線に緊密に依存して人間の目に基づいてＬＥＤの色位置を推し量る。それ故にＬＥＤは、人間の目の色知覚に相応しているグループに分類される。これに対する限界値は例えば、ＬＥＤの組み立てサンプルを用いたテストによって突き止めることができる。それから知覚のこの限界に基づいて、本発明の方法では格子網の網目化を配向しかつ最適化することができる。
【００１４】
本発明の方法により突き止められた同じ色グループのＬＥＤが実装されているＬＥＤモジュールは有利にも僅かな色偏差、殊に呼び起こされる色印象に関して僅かな偏差しか有していない。
【００１５】
一定のしきい値偏差の線によって決められている隣接する網線では、割り当てられているしきい値単位の差は２０しきい値単位、有利には１０しきい値単位、特別有利には５しきい値単位である。
【００１６】
等色温度線に相応する隣接する網線では、色温度の差は例えば２０００Ｋ、有利には１５００Ｋ、特別有利には１０００Ｋである。
【００１７】
その際、格子網を不揃いな形に網目化すると有利であり、その際目の大きさは白点、すなわち色位置ｘ＝１／３，ｙ＝１／３の周囲においては小さく選択される。というのは、この領域において人間の目は色偏差に対して特別敏感だからである。
【００１８】
本発明のＬＥＤ装置では、ＬＥＤはそれぞれが、ＣＩＥ色空間においてすべて、それぞれ前以て決められている色温度を有する２つの等色温度線およびそれぞれ前以て決められている一定のしきい値偏差を有する２つの線によって形成されている領域にある色位置を有しているようになっている。これにより上に説明した方法に相応して、ＬＥＤ装置が作動中有利にも僅かな色偏差しか示さないことが実現される。
【００１９】
本発明の有利な特徴、利点および効果は以下の図に関連した実施例の説明から明らかである。
【実施例】
【００２０】
次に本発明を図面を用いて詳細に説明する。
【００２１】
図１には、白点５、すなわち座標ｘ＝１／３，ｙ＝１／３を有する色位置の周辺のＣＩＥ色空間の部分が示されている。
【００２２】
ここでは本発明の方法に対する網を確定するために、色温度３０００Ｋ、４５００Ｋ、５７５０Ｋ、７０００Ｋおよび９０００Ｋを有する５つの等色温度線１が示されている。これらは格子網線の一方の群を形成している。更に黒体軌跡２並びに一定のしきい値偏差の線群３が図示されている。黒体軌跡２に対する差はそれぞれ、しきい値単位において示されかつ値は−３０ＳＷＥ、−２０ＳＷＥ、−１０ＳＷＥ、１０ＳＷＥ、２０ＳＷＥないし３０ＳＷＥである。
【００２３】
その際簡単にするために図示されているように、一定のしきい値偏差３の線は区間線分によって近似することができる。これらは、一定のしきい値偏差３のライン３ａから出発して、等色温度線との交点を直線部分によって結ぶことによって生じる。本発明の枠内においてこれらの区間線分が一定のしきい値偏差のラインとも見なされる。
【００２４】
更には、本発明における等色温度線は一定のｘ値、例えばｘ＝０．３０、ｘ＝０．３２、ｘ＝０．３４等々を有するラインによって置き換えることもできる。等色温度線はｘ軸に対して比較的急峻に経過しているので、ここから生じるエラーは普通許容できる。
【００２５】
本発明の実施例では、分類すべきＬＥＤに対して、その都度色位置、例えば点６によって図示されている色位置が求められかつ図では斜線で示されている網目が求められる。そこで同じ網目内にあるすべてのＬＥＤは同じ色グループに配属される。この形式の方法により色グループに仕分けされているＬＥＤによってＬＥＤ装置が形成される、すなわち同じ色グループのＬＥＤだけが使用されるようにすると、この装置は有利にも僅かな色偏差しか有していない。
【００２６】
この種のモジュールのＬＥＤは、その色位置が、それぞれ前以て決められている色温度を有する２つの等色温度線とそれぞれ前以て決められている、一定のしきい値偏差を有する２つのラインとによって形成されている領域にあるという特徴を有している。
【００２７】
白色は本発明の枠内において、色位置ｘ＝１／３，ｙ＝１／３を有する純白色光のみならず、実質的に白または白っぽいとは異なっていると近くされる光でもあることを指摘しておく。疑問であれば、このために相応のＥＣＥ規定を用いることができる。
【図面の簡単な説明】
【００２８】
【図１】本発明の方法を説明するためのＣＩＥ色空間の部分図である。
【符号の説明】
【００２９】
１  等色温度線、  ２  黒体軌跡、  ３  一定のしきい値偏差、  ５  白点、  ６  網目
【図１】
2008166826.tif 000003